(57)【要約】【課題】上位装置に位置登録できない場合であっても、流入端末や在来端末の通信を確保できる基地局および無線通信システムを提供する。【解決手段】通信端末１２と基地局１１と上位装置１０とを備え、基地局１１は、制御部１１２と記憶部１１３とを備え、制御部１０は、上位装置１０によって与えられる第１の基地局ＩＤに替えて、複数の異なる第２の基地局ＩＤを設定して自局の通信エリア内に存在する通信端末１２に順次に報知すると共に、報知された第２の基地局ＩＤを受けた通信端末１２からの位置登録要求に基づいて位置登録を行った通信端末１２の電話番号を記憶部１１３に保持し、記憶部１１３に保持された電話番号に基づいて、自局の通信エリア内の通信端末１２どうしでの通信を制御する。【選択図】図２
2013131788.tif 000002
【特許請求の範囲】
【請求項１】
通信端末と、
前記通信端末と無線通信を行う基地局と、
前記基地局との間で有線通信を行うことが可能な上位装置と、を備えた無線通信システムであって、
前記基地局は、
制御部と記憶部とを備え、
前記制御部は、
前記上位装置によって与えられる第１の基地局ＩＤに替えて、複数の異なる第２の基地局ＩＤを設定して自局の通信エリア内に存在する前記通信端末に順次に報知すると共に、報知された第２の基地局ＩＤを受けた前記通信端末からの位置登録要求に基づいて位置登録を行った前記通信端末の電話番号を前記記憶部に保持し、前記記憶部に保持された電話番号に基づいて、前記自局の通信エリア内の前記通信端末どうしでの通信を制御することを特徴とする、無線通信システム。
【請求項２】
前記制御部は、
一斉呼び出しエリア番号を変更することで前記複数の異なる第２の基地局ＩＤを設定する、請求項１記載の無線通信システム。
【請求項３】
前記制御部は、
前記複数の異なる第２の基地局ＩＤを一定の時間間隔で順次に報知する、請求項１記載の無線通信システム。
【請求項４】
前記制御部は、
前記第２の基地局ＩＤの報知後、位置登録要求を行わなかった通信端末についてはその電話番号を前記記憶部から削除する、請求項１記載の無線通信システム。
【請求項５】
前記制御部は、
前記第２の基地局ＩＤの報知を受けて位置登録を行うごとに、それよりも前に前記記憶部に記憶された前記通信端末の電話番号との比較を行うことで、前記自局の通信エリア内に新たに流入して来た通信端末および前記自局の通信エリアから流出した通信端末を把握する、請求項１記載の無線通信システム。
【請求項６】
前記制御部は、
前記上位装置に対して前記通信端末からの位置登録ができない場合に、前記複数の異なる第２の基地局ＩＤを設定し、
前記上位装置に対して前記通信端末からの位置登録が復旧するまでの間、前記通信端末に前記複数の異なる第２の基地局ＩＤを順次に報知し続ける、請求項１記載の無線通信システム。
【請求項７】
通信端末との間で無線通信を行い、上位装置との間で有線通信を行う基地局であって、
前記基地局は、
制御部と記憶部とを備え、
前記制御部は、
前記上位装置によって与えられる第１の基地局ＩＤに替えて、複数の異なる第２の基地局ＩＤを設定して自局の通信エリア内に存在する前記通信端末に順次に報知すると共に、報知された第２の基地局ＩＤを受けた前記通信端末からの位置登録要求に基づいて位置登録を行った前記通信端末の電話番号を前記記憶部に保持し、前記記憶部に保持された電話番号に基づいて、前記自局の通信エリア内の前記通信端末どうしでの通信を制御することを特徴とする、基地局。
【発明の詳細な説明】
【技術分野】
【０００１】
本発明は、ＰＨＳ（Personal Handyphone System）などの基地局および無線通信システムに関する。
【背景技術】
【０００２】
通信端末との間で無線信号を送受信して通信を行う無線通信システムでは、一般的に通信端末がどこに存在するのかを登録する位置登録が行われる。
【０００３】
例えば、ＰＨＳでは、ページングエリアと呼ばれる領域に複数のＣＳ（Cell Station：基地局）が配置されており、ＰＳ（Personal Station：端末）が、どのページングエリア内に位置しているかが登録される。この登録処理は、通信端末がページングエリア間を移動した場合に、移動先のページングエリアに属する基地局であって、例えば、移動した通信端末の最も近く位置する基地局との間で通信を行うことにより行われる。
【０００４】
ここで、特定の通信端末への着信があった場合、その通信端末に対して着信メッセージを送信する場合には、登録された位置情報を参照して、通信対象の通信端末が位置しているページングエリアが特定される。
【０００５】
そして、特定されたページングエリアに属している基地局の全てから一斉に着信メッセージが送信される。通信対象の通信端末がこの着信メッセージを受信した場合には、その着信メッセージに対する応答が基地局（当該通信端末に最も近く位置する基地局）に送信され、これにより通話が開始される。
【０００６】
ここで、位置情報は、基地局を介して、基地局の上位装置内のサーバ等に登録され、その情報は、上述したページングエリアの特定に使用されるが、上位装置に不具合が発生した場合や、上位装置と基地局との通信に使用する通信回線に通信障害が発生したような場合には、他のページングエリアから移動してきた通信端末（流入端末）が位置登録のために位置情報を基地局に送っても、その先の上位装置に送れない場合、あるいは上位装置での不具合により処理されない場合には登録されないこととなる。
【０００７】
新しい位置情報が登録されないと、障害等が復旧しても、上位装置には古い位置情報しか登録されていないため、流入端末に着信があった場合、古い位置情報に基づいてページングエリアが特定されるので、別のページングエリアに移動している流入端末には着信メッセージが届かないということになる。
【０００８】
このような不具合を解消するため、例えば特許文献１には、上位装置に位置登録できない場合、基地局は、上位装置が設定した基地局ＩＤを暫定的な基地局ＩＤに変更して報知情報を送信し、移動局に位置登録要求を送出させることで、基地局において位置登録を行う技術が開示されている。
【０００９】
また、特許文献２には、上位装置に位置登録できない場合に、基地局で折り返し通信を行う際に、通信可能な移動局の識別番号を報知情報で移動局に通知することで、他の移動局との個別通信を可能とする技術が開示されている。
【００１０】
また、特許文献３には、基地局が移動局の位置情報を記憶する記憶部を有し、上位装置に位置登録できない場合、自局に位置情報が記憶された移動局間での通信については、当該基地局での折り返し通信を行う技術が開示されている。
【先行技術文献】
【特許文献】
【００１１】
【特許文献１】特開平１１−５５７２５号公報
【特許文献２】特開２００２−１７１５６９号公報
【特許文献３】特開平１０−３０４４２５号公報
【発明の概要】
【発明が解決しようとする課題】
【００１２】
上位装置に不具合が発生した場合や、上位装置と基地局との通信に使用する通信回線に通信障害が発生したような場合には、流入端末が位置登録のために位置情報を基地局に送っても、その先の上位装置に送れない、あるいは上位装置での不具合により処理されない場合には位置登録されず、流入端末は通信を行うことができない。また、ページングエリア内に留まっている通信端末（在来端末）についても、上位装置の不具合や上位装置との通信障害が発生すると、通信できなくなるという問題がある。
【００１３】
本発明は上記のような問題点を解消するためになされたもので、上位装置に位置登録できない場合であっても、流入端末や在来端末の通信を確保できる無線通信システムおよび基地局を提供することを目的とする。
【課題を解決するための手段】
【００１４】
上記課題を解決するため、本発明に係る無線通信システムは、通信端末と、前記通信端末と無線通信を行う基地局と、前記基地局との間で有線通信を行うことが可能な上位装置とを備えた無線通信システムであって、前記基地局は、制御部と記憶部とを備え、前記制御部は、前記上位装置によって与えられる第１の基地局ＩＤに替えて、複数の異なる第２の基地局ＩＤを設定して自局の通信エリア内に存在する前記通信端末に順次に報知すると共に、報知された第２の基地局ＩＤを受けた前記通信端末からの位置登録要求に基づいて位置登録を行った前記通信端末の電話番号を前記記憶部に保持し、前記記憶部に保持された電話番号に基づいて、前記自局の通信エリア内の前記通信端末どうしでの通信を制御する。
【００１５】
本発明に係る無線通信システムの一態様は、前記制御部が、一斉呼び出しエリア番号を変更することで前記複数の異なる第２の基地局ＩＤを設定する。
【００１６】
本発明に係る無線通信システムの一態様は、前記制御部が、前記複数の異なる第２の基地局ＩＤを一定の時間間隔で順次に報知する。
【００１７】
本発明に係る無線通信システムの一態様は、前記制御部が、前記第２の基地局ＩＤの報知後、位置登録要求を行わなかった通信端末についてはその電話番号を前記記憶部から削除する。
【００１８】
本発明に係る無線通信システムの一態様は、前記制御部が、前記第２の基地局ＩＤの報知を受けて位置登録を行うごとに、それよりも前に前記記憶部に記憶された前記通信端末の電話番号との比較を行うことで、前記自局の通信エリア内に新たに流入して来た通信端末および前記自局の通信エリアから流出した通信端末を把握する。
【００１９】
本発明に係る無線通信システムの一態様は、前記制御部が、前記上位装置に対して前記通信端末からの位置登録ができない場合に、前記複数の異なる第２の基地局ＩＤを設定し、前記上位装置に対して前記通信端末からの位置登録が復旧するまでの間、前記通信端末に前記複数の異なる第２の基地局ＩＤを順次に報知し続ける。
【００２０】
本発明に係る基地局は、通信端末との間で無線通信を行い、上位装置との間で有線通信を行う基地局であって、前記基地局は、制御部と記憶部とを備え、前記制御部は、前記上位装置によって与えられる第１の基地局ＩＤに替えて、複数の異なる第２の基地局ＩＤを設定して自局の通信エリア内に存在する前記通信端末に順次に報知すると共に、報知された第２の基地局ＩＤを受けた前記通信端末からの位置登録要求に基づいて位置登録を行った前記通信端末の電話番号を前記記憶部に保持し、前記記憶部に保持された電話番号に基づいて、前記自局の通信エリア内の前記通信端末どうしでの通信を制御する。
【発明の効果】
【００２１】
本発明に係る無線通信システムによれば、自局の通信エリア内に流入して来た通信端末についても、また、自局の通信エリア内から移動していない通信端末についても基地局において位置登録され、位置登録を行った通信端末の電話番号を記憶部に保持し、記憶部に保持された電話番号に基づいて、自局の通信エリア内の通信端末どうしでの通信を制御するので、通信端末が上位装置に位置登録できない場合でも、自局の通信エリア内の通信端末どうしであれば通信を確保できる。
【００２２】
本発明に係る基地局によれば、自局の通信エリア内に流入して来た通信端末についても、また、自局の通信エリア内から移動していない通信端末についても基地局において位置登録され、位置登録を行った通信端末の電話番号を記憶部に保持し、記憶部に保持された電話番号に基づいて、自局の通信エリア内の通信端末どうしでの通信を制御するので、通信端末が上位装置に位置登録できない場合でも、自局の通信エリア内の通信端末どうしであれば通信を確保できる。
【図面の簡単な説明】
【００２３】
【図１】本発明に係る無線通信システムの構成を示すブロック図である。
【図２】本発明に係る基地局の構成を示すブロック図である。
【図３】本発明に係る基地局における位置登録動作を説明するフローチャートである。
【図４】ＣＳＩＤの構成を説明する図である。
【発明を実施するための形態】
【００２４】
＜実施の形態＞
図１は本発明に係る無線通信システム１００の構成を示す図であり、基地局１１との通信端末１２との間で無線通信を行うとともに、基地局１１は上位装置１０との間で、有線回線ＷＬによる通信を行う。
【００２５】
無線通信システム１００では、基地局１１が、ＯＦＤＭＡ方式や、ＴＤＭＡ／ＴＤＤ方式（Time Division Multiple Access/Time Division Duplexing）で複数の通信端末１２と無線通信を行う。
【００２６】
図２は基地局１１の構成を示すブロック図である。図２に示されるように、基地局１１は、無線通信を行う無線通信部１１１と、上位装置１０との間で通信を行う有線接続部１１４と、各種情報を記憶する記憶部１１３と、無線通信部１１１、有線接続部１１４および記憶部１１３を制御する制御部１１２とを備えている。
【００２７】
無線通信部１１１は、複数のアンテナ素子１１０ａで構成されたアレイアンテナ１１０で受信される受信信号からデータを取得して制御部１１２に出力する。また、無線通信部１１１は、制御部１１２から入力される送信データを含む送信信号を生成し、それをアレイアンテナ１１０から無線送信する。
【００２８】
有線接続部１１４は、例えば、光ファイバ等で上位装置１０に接続されている。有線接続部１１４は、制御部１１２から入力されるデータを上位装置１０に送信するとともに、上位装置１０から入力されるデータを制御部１１２に出力する。
【００２９】
制御部１１２は、例えばＣＰＵ（Central Processing Unit）等で構成されている。制御部１１２のＣＰＵが、記憶部１１３に記憶されている動作プログラムを実行することによって、制御部１１２には、基地局ＩＤ設定部１１２１、位置登録待ちタイマ制御部１１２２、基地局ＩＤ更新タイマ制御部１１２３および電話番号比較部１１２４などの各種機能ブロックが実現される。
【００３０】
次に、図２を参照しつつ図３に示すフローチャートを用いて、本発明に係る基地局における位置登録動作について説明する。
【００３１】
先に説明したように、ＰＨＳでは、通信端末がページングエリア間を移動した場合に、当該通信端末は、移動先の基地局との間で通信を行うことで、上位装置に位置登録を行う。しかし、上位装置に不具合が発生した場合や、上位装置と基地局との通信に使用する通信回線に通信障害が発生したような場合には、位置登録のための位置情報を基地局に送っても、その先の上位装置に送れない、あるいは上位装置で処理されない。以下、このような状態を回線障害と呼称する。
【００３２】
基地局１１は、新たに運用を開始する場合や、リセット動作等により再起動される場合は、電源が投入されると、各部分（無線通信部１１１等）が初期化され、まず、自局のフレームタイミングを周囲の他の基地局と同期させた後、自局の基地局ＩＤ（ＣＳＩＤ）を報知する（ステップＳ１１）。このときに報知されるＣＳＩＤは、上位装置１０によって与えられたＣＳＩＤであり、この基地局ＩＤをＡとする。
【００３３】
ここで、図４を用いてＣＳＩＤの構成について説明する。図４に示すようにＣＳＩＤは、４２ビットのデータで構成され、事業者識別符号、一斉呼び出しエリア番号、付加ＩＤおよび同期制御符号を含んでいる。事業者識別符号はＰＨＳを運用する通信事業者を識別する符号であり、同期制御符号は、他の基地局からみて同期相手となる基地局であるか否かを規定する情報を含んでいる。
【００３４】
ＣＳＩＤの一斉呼び出しエリア番号は、通信端末がどのページングエリアに属するかを知るための情報であり、通信端末は、基地局から送信されるＣＳＩＤの一斉呼び出しエリア番号を取得することで、自機が現在、どの一斉呼び出しエリアにいるかを知ることができる。
【００３５】
通信端末は、位置登録を行うときに内部メモリに一斉呼び出しエリア番号を保存し、移動することにより、内部メモリに保存した一斉呼び出しエリア番号と、移動先の基地局から送られて来たＣＳＩＤの一斉呼び出しエリア番号とが異なる場合には、新たな位置登録を行う。
【００３６】
図３の説明に戻ると、通常状態で基地局１１が報知する基地局ＩＤ（＝Ａ）における一斉呼び出しエリア番号は不変の番号であり、同じページングエリアにあっては、複数の基地局で共通している。
【００３７】
基地局１１では、上位装置１０との間で定期的に信号の授受を行っており、これが続いている間は通常時の基地局ＩＤ（＝Ａ）を報知し続けるが、信号の授受が途切れたような場合には基地局１１は、何らかの回線障害が発生したものと判断し（ステップＳ１２）、基地局ＩＤの変更を行う（ステップＳ１３）。
【００３８】
基地局ＩＤの変更に際しては、現在の基地局ＩＤが通常時の基地局ＩＤ（＝Ａ）であるのか、非常時の基地局ＩＤ（＝Ｂ）であるのかを確認し、通常時の基地局ＩＤ（＝Ａ）である場合は、非常時の基地局ＩＤ（＝Ｂ）に変更し、非常時の基地局ＩＤ（＝Ｂ）の報知を開始する（ステップＳ１５）。
【００３９】
一方、現在の基地局ＩＤが既に非常時の基地局ＩＤ（＝Ｂ）である場合は、別の非常時の基地局ＩＤ（＝Ｃ）に変更し、非常時の基地局ＩＤ（＝Ｃ）の報知を開始する（ステップＳ１４）。
【００４０】
ここで、通常時の基地局ＩＤと非常時の基地局ＩＤとの違いは、一斉呼び出しエリア番号の違いであり、通常時の基地局ＩＤ（＝Ａ）とは一斉呼び出しエリア番号Ａ、非常時の基地局ＩＤ（＝Ｂ）とは一斉呼び出しエリア番号Ｂ、非常時の基地局ＩＤ（＝Ｃ）とは一斉呼び出しエリア番号Ｃと読み替えることができる。なお、通常時の基地局ＩＤは上位装置１０によって与えられたものであるが、非常時の基地局ＩＤは基地局１１が設定するものであり、制御部１１２内の基地局ＩＤ設定部１１２１（図２）によって設定される。
【００４１】
非常時の基地局ＩＤ（＝Ｂ）または非常時の基地局ＩＤ（＝Ｃ）の報知を開始すると、基地局１１の通信エリア内の通信端末１２からの位置登録が行われることとなり、基地局１１は、位置登録待ちタイマ（図示せず）を始動させて時間経過をカウントする（ステップＳ１６）。なお、位置登録待ちタイマの制御は、制御部１１２内の位置登録待ちタイマ制御部１１２２（図２）によってなされ、設定時間は５分〜１０分程度に設定される。
【００４２】
先に説明したように、通信端末１２は、内部メモリに一斉呼び出しエリア番号を保存しており、移動することにより、内部メモリに保存した一斉呼び出しエリア番号と、移動先の基地局から送られて来たＣＳＩＤの一斉呼び出しエリア番号とが異なる場合には、新たな位置登録を行う機能を有している。
【００４３】
今、基地局１１が、非常時の基地局ＩＤ（＝Ｂ）または非常時の基地局ＩＤ（＝Ｃ）の報知を開始することで、基地局１１の通信エリア内の全ての通信端末１２は、内部メモリに保存した一斉呼び出しエリア番号と、新たに受信した非常時の基地局ＩＤ（＝Ｂ）または非常時の基地局ＩＤ（＝Ｃ）に含まれる一斉呼び出しエリア番号とが異なることとなる。このため、基地局１１の通信エリア内の通信端末１２は、基地局１１に対して通信を行い、位置登録要求信号を送信する。
【００４４】
位置登録要求信号を受けた基地局１１は、位置登録要求があったものとして位置登録処理を行う（ステップＳ１７）。この処理では、位置登録要求信号を送信してきた通信端末１２の電話番号を記憶部１１３（図２）などに記憶する（ステップＳ１８）。ここで、制御部１１２内の電話番号比較部１１２４では、通信端末１２の電話番号を記憶部１１３に記憶させるとともに、既に記憶部１１３に記憶されている電話番号との比較を行い、新たな電話番号が登録された場合は、基地局１１の通信エリア（自局セル）に新たな通信端末１２が流入して来たものと判断し、再登録のない電話番号については、自局セルから流出したものと判断する。これにより、通信端末１２の流入、流出を把握することができる。
【００４５】
なお、位置登録要求がない場合にも、位置登録要求がある場合にも、位置登録待ちタイマが満了することで、位置登録の受け付けを終了する（ステップＳ１９）。なお、位置登録待ちタイマが満了していない場合は、ステップＳ１７以下の動作を繰り返す。
【００４６】
位置登録の受け付けを終了した後は、位置登録待ちタイマの動作開始より前に登録されていた電話番号については全て削除することで、記憶部１１３内の電話番号情報を更新する（ステップＳ２０）。
【００４７】
次に、基地局ＩＤを更新するための基地局ＩＤ更新タイマ（図示せず）を始動させて時間経過をカウントする（ステップＳ２１）。この動作は、位置登録待ちタイマ満了ごとに１回行われる動作である。すなわち、本発明においては、回線障害が復旧するまでの間に基地局ＩＤを複数回変化させるが、その変化のインターバルを設定するのが基地局ＩＤ更新タイマであり、位置登録待ちタイマの満了後から所定の期間が経過した後に基地局ＩＤを変化させる。なお、基地局ＩＤ更新タイマの制御は、制御部１１２内の基地局ＩＤ更新タイマ制御部１１２３によってなされ、設定時間は、例えば、位置登録待ちタイマの設定時間と同程度に設定される場合もあれば、数時間程度に設定される場合もある。
【００４８】
ステップＳ２２で基地局ＩＤ更新タイマが満了したと判断された場合は、ステップＳ１３の判断動作に戻り、現在の基地局ＩＤが通常時の基地局ＩＤ（＝Ａ）であるのか、非常時の基地局ＩＤ（＝Ｂ）であるのかを確認し、非常時の基地局ＩＤ（＝Ｂ）である場合は、別の非常時の基地局ＩＤ（＝Ｃ）に変更し、非常時の基地局ＩＤ（＝Ｃ）の報知を開始することとなる（ステップＳ１４）。
【００４９】
一方、ステップＳ２２で基地局ＩＤ更新タイマが満了していないと判断される場合は、ステップＳ２３において回線障害が復旧したか否かを確認する。
【００５０】
先に説明したように、基地局１１では、上位装置１０との間で定期的に信号の授受を行っており、信号の授受が途切れたような場合に、何らかの回線障害が発生したものと判断するが、基地局１１から送った信号が受け付けられ、上位装置１０から応答があったような場合には回線障害が復旧したものと判断する。
【００５１】
ステップＳ２３で、回線障害が復旧したものと判断された場合は、位置登録待ちタイマが動作している場合は位置登録待ちタイマを停止させ（ステップＳ２４）、また、基地局ＩＤ更新タイマが動作している場合は基地局ＩＤ更新タイマを停止させる（ステップＳ２５）。そして、ステップＳ１１に戻って、ＣＳＩＤを、通常状態で基地局１１が報知する基地局ＩＤ（＝Ａ）に戻す。
【００５２】
ＣＳＩＤを通常時の基地局ＩＤ（＝Ａ）に戻すことで、自局セル内の通信端末１２から位置登録が誘発されるが、この場合の位置登録は上位装置１０において行われる。
【００５３】
一方、ステップＳ２３で、未だ、回線障害が復旧していないと判断された場合は、ステップＳ１７以下の動作を繰り返す。
【００５４】
以上説明したように、基地局１１においては、上位装置１０との間で回線障害が発生した場合には、報知する基地局ＩＤの一斉呼び出しエリア番号を変更する。これにより、基地局１１の自局セル内の通信端末１２から位置登録が誘発され、位置登録処理を基地局１１内で行い、位置登録を行った通信端末の電話番号を自局内の記憶部１１３に保持する。
【００５５】
従って、基地局１１と上位装置１０との間で回線障害が発生している場合に、自局セル内に流入して来た通信端末１２があった場合でも、当該通信端末１２は基地局１１において位置登録される。
【００５６】
そして、基地局１１は、記憶部１１３には自局セル内の通信端末１２の電話番号を保持しているので、自局セル内の通信端末どうしであれば折り返し通信により通信をさせることができ、流入端末が通信を行うことができないという問題は生じない。
【００５７】
また、自局セルから移動していない通信端末（在来端末）１２についても、基地局ＩＤの一斉呼び出しエリア番号を変更することで位置登録が誘発され、位置登録を行った後は電話番号が自局内の記憶部１１３に保持されるので、自局セル内の通信端末どうしであれば折り返し通信により通信をさせることができる。
【００５８】
また、基地局１１と上位装置１０との間で回線障害が発生している間は、基地局ＩＤの一斉呼び出しエリア番号を何度も変更することで、自局セル内に流入して来た通信端末１２の存在を把握できると共に、自局セルから流出した通信端末１２についても把握できることとなる。このため、自局セルから流出した通信端末１２に対しては着信処理を行わずに済み、効率的な処理が可能となる。
【００５９】
また、基地局ＩＤの変更に際して位置登録が行われなかった通信端末１２の電話番号は記憶部１１３から削除されるので、記憶部１１３の記憶容量を有効に使うことができる。
【００６０】
なお、図３に示したフローチャートでは、通常時の基地局ＩＤ（＝Ａ）に対して非常時の基地局ＩＤ（＝Ｂ）および非常時の基地局ＩＤ（＝Ｃ）を準備した例を示したが、これは一例であり、さらに多くの非常時の基地局ＩＤを用いても良いことは言うまでもない。
【００６１】
また、基地局ＩＤ更新タイマを用いて、基地局ＩＤの変化を周期的に行う例を示したが、基地局ＩＤの変更は周期的でなくても良く、アトランダムなタイミングで基地局ＩＤを出力する構成としても良い。
【符号の説明】
【００６２】
１０  上位装置
１１  基地局
１２  通信端末
【図１】
2013131788.tif 000003
【図２】
2013131788.tif 000004
【図３】
2013131788.tif 000005
【図４】
2013131788.tif 000006